(57)【要約】【課題】高繊細な画像出力が可能な環境で、多様な表示方法に対応してユーザに画質の劣化を意識させることなくスケーリングが行える再生装置を提供する。【解決手段】画像表示の形態に応じてデコード部１０５のスケーラ１０５Ａにおけるスケーリングのアルゴリズムを選択して実行するようにしたので、高繊細な画像を出力する再生装置においても視覚的な画質の劣化をユーザに与えることがない。特に、ＨＤＤＶＤのように多様な表示形態を実現できる再生装置においては、出力先の映像機器との出力解像度の整合、ユーザ操作に基づく表示サイズの変更に応じたスケーリングを施すことで、視覚的に違和感のない高繊細な画像表示を行うことができる。【選択図】図３
2007256370.tif 000002
【特許請求の範囲】
【請求項１】
符合化された画像信号を復号することにより得られる復号画像信号の拡大または縮小を行うとともに、全画面表示と他の表示形態とで異なるスケーリングを行うスケーラと、
前記スケーラでスケーリングされた前記復号画像信号を他の画像信号と合成して出力する画像出力部とを有することを特徴とする再生装置。
【請求項２】
符合化された画像信号を復号することにより得られる復号画像信号の拡大または縮小を行うとともに、全画面表示と前記復号画像信号の入力解像度から拡大指定されるとき第１のスケーリングを行い、前記復号画像信号の入力解像度から縮小指定されるとき第２のスケーリングを行うスケーラと、
前記スケーラでスケーリングされた前記復号画像信号を他の画像信号と合成して出力する画像出力部とを有することを特徴とする再生装置。
【請求項３】
符合化された画像信号を復号することにより得られる復号画像信号の拡大または縮小を行うとともに、全画面表示と前記復号画像信号の入力解像度から拡大指定されるとき補完処理を含む第１のスケーリングを行い、前記復号画像信号の入力解像度から縮小指定されるとき補完処理を含まない第２のスケーリングを行うスケーラと、
前記スケーラでスケーリングされた前記復号画像信号を他の画像信号と合成して出力する画像出力部とを有することを特徴とする再生装置。
【請求項４】
符合化された画像信号を復号することにより得られる復号画像信号の拡大または縮小を行うとともに、ユーザ指定操作に基づく画像表示形態に応じて全画面表示と前記復号画像信号の入力解像度から拡大指定されるとき補完処理を含む第１のスケーリングを行い、前記復号画像信号の入力解像度から縮小指定されるとき補完処理を含まない第２のスケーリングを行うスケーラと、
前記スケーラでスケーリングされた前記復号画像信号を他の画像信号と合成して出力する画像出力部とを有することを特徴とする再生装置。
【請求項５】
前記スケーラは、ハードウエアとして設けられるデコード部に設けられてＨＤＤＶＤメディアの再生に基づくメインのビデオ信号を復号することにより得られる前記復号画像信号に対してスケーリングを行う請求項１から４のいずれか１項に記載の再生装置。
【発明の詳細な説明】
【技術分野】
【０００１】
本発明は、ＤＶＤ（Digital Versatile Disk）等のディスク状記憶媒体を再生して別体の外部映像表示部に映像を表示させる再生装置に関し、特に、高繊細な画像出力が可能な環境で、多様な表示方法に対応してユーザに画質の劣化を意識させることなくスケーリングが行える再生装置に関する。
【背景技術】
【０００２】
近年、テレビジョン（ＴＶ）装置に代表される映像機器では、既存のアナログ放送に加えてデジタル放送に対応した機器が普及しつつある。また、ＴＶ装置で表示可能なビデオ等の動画像についてもＤＶＤや、より大容量で高繊細な映像を提供可能なＨＤ（High Definition）規格の動画像を扱うことのできる再生装置の開発が進められている。
【０００３】
また、ＴＶ装置についても上記した再生装置側の高繊細化、多様化に対応すべく改良がなされており、既存のアナログ放送に加えてデジタル放送対応化が進んでいる。ＴＶ装置の表示サイズはデジタル放送を高画質で再現可能な大サイズのものから、一般的なサイズまで様々であり、適切な画像を得るにはコンテンツの入力解像度と出力解像度を適切に設定する必要がある。
【０００４】
このような表示画像の拡大縮小について、スケーラを用いてコンテンツの表示サイズを変更する再生装置が知られている（例えば、特許文献１参照。）。
【０００５】
特許文献１の再生装置によれば、スケーラに設定可能な複数の倍率に対し、スケーリングした場合の画質を判定して、その判定結果により、画質劣化の目立たない拡大倍率を選択することができる。
【特許文献１】特開２００５−１９８０２７号公報
【発明の開示】
【発明が解決しようとする課題】
【０００６】
しかし、特許文献１に記載された発明によると、より高繊細な画像出力が可能で、かつ、多様な表示方法が可能な環境においては、設定可能な複数の倍率の範囲であっても画質の劣化が目立つ場合があるため、画質の向上に限界がある。例えば、ＨＤＤＶＤのように、メインの画像を表示しながらサブの画像を表示可能で、かつ、メインの画像を停止することなくサブの画像を拡大縮小できる環境では、ユーザ操作によって画像のスケーリングが実行される際に画質の劣化が目立ってしまう。
【０００７】
従って、本発明の目的は、高繊細な画像出力が可能な環境で、多様な表示方法に対応してユーザに画質の劣化を意識させることなくスケーリングが行える再生装置を提供することにある。
【課題を解決するための手段】
【０００８】
本発明は、上記の目的を達成するため、符合化された画像信号を復号することにより得られる復号画像信号の拡大または縮小を行うとともに、全画面表示と他の表示形態とで異なるスケーリングを行うスケーラと、前記スケーラでスケーリングされた前記復号画像信号を他の画像信号と合成して出力する画像出力部とを有する再生装置を提供する。
【０００９】
また、本発明は、上記の目的を達成するため、符合化された画像信号を復号することにより得られる復号画像信号の拡大または縮小を行うとともに、全画面表示と前記復号画像信号の入力解像度から拡大指定されるとき第１のスケーリングを行い、前記復号画像信号の入力解像度から縮小指定されるとき第２のスケーリングを行うスケーラと、前記スケーラでスケーリングされた前記復号画像信号を他の画像信号と合成して出力する画像出力部とを有する再生装置を提供する。
【００１０】
また、本発明は、上記の目的を達成するため、符合化された画像信号を復号することにより得られる復号画像信号の拡大または縮小を行うとともに、全画面表示と前記復号画像信号の入力解像度から拡大指定されるとき補完処理を含む第１のスケーリングを行い、前記復号画像信号の入力解像度から縮小指定されるとき補完処理を含まない第２のスケーリングを行うスケーラと、前記スケーラでスケーリングされた前記復号画像信号を他の画像信号と合成して出力する画像出力部とを有する再生装置を提供する。
【００１１】
また、本発明は、上記の目的を達成するため、符合化された画像信号を復号することにより得られる復号画像信号の拡大または縮小を行うとともに、ユーザ指定操作に基づく画像表示形態に応じて全画面表示と前記復号画像信号の入力解像度から拡大指定されるとき補完処理を含む第１のスケーリングを行い、前記復号画像信号の入力解像度から縮小指定されるとき補完処理を含まない第２のスケーリングを行うスケーラと、前記スケーラでスケーリングされた前記復号画像信号を他の画像信号と合成して出力する画像出力部とを有する再生装置を提供する。
【発明の効果】
【００１２】
本発明によれば、高繊細な画像出力が可能な環境で、多様な表示方法に対応してユーザに画質の劣化を意識させることなくスケーリングを行うことができる。
【発明を実施するための最良の形態】
【００１３】
（本発明の実施の形態）
図１は、本発明の実施の形態に係る再生装置を含む再生システム全体を示し、（ａ）は斜視図、（ｂ）は再生装置を示す正面図である。
【００１４】
再生システムは、図１（ａ）に示すようにＨＤ規格のＤＶＤディスク（ＨＤＤＶＤ）を再生可能な再生装置１０と、カラー液晶表示パネルからなる表示部２１を有するＴＶ装置２０とをケーブル接続して構成されており、再生装置１０とＴＶ装置２０はリモートコントローラ３０によって遠隔操作される。また、再生装置１０は収容棚４０に収容されており、収容棚４０の上面にＴＶ装置２０が搭載される。
【００１５】
再生装置１０は、図１（ｂ）に示すように正面に設けられるフロントパネル１１の中央に表示部１００Ａを有し、その下部にドア開閉スイッチ１２によって開閉可能な前面ドア１３を有する。前面ドア１３は、ドア開閉スイッチ１２の操作に基づいて開動作する。前面ドアの背後には、図示しない構成として外部接続端子であるＵＳＢ端子、ディスクトレイ、ＤＶＤの再生時に操作するスキップスイッチ、ポーズスイッチ、ストップスイッチ、再生スイッチといった各操作スイッチが設けられている。この再生装置１０は脚部１４によって支持されており、フロントパネル１１の正面中央左側には電源投入用のスイッチ１００Ｂが設けられている。
【００１６】
図２は、本発明の実施の形態に係る再生装置の概略ブロック図である。
【００１７】
（再生装置１０の構成）
この再生装置１０は、ＨＤＤＶＤディスクを再生可能なＤＶＤ再生装置であり、ディスク再生動作に基づく表示および機器の稼動状態を示す表示部１００Ａと、電源、前面ドア、ディスクトレイ等の操作用のスイッチ１００Ｂと、リモートコントローラ３０との光通信を行う受光部１００Ｃとを含むフロントパネル１００と、フロントパネル１００の表示部１００Ａ、スイッチ１００Ｂ、受光部１００Ｃの動作を制御するパネル制御部１０１と、再生装置１０の各部を制御する主制御部１０２と、再生装置１０の動作に必要なファームウエア、プログラム等のデータを記憶する記憶部１０３と、ＨＤＤＶＤ、ＤＶＤ、ＣＤ等のディスクを駆動するＤＩＳＣドライブ１０４と、ＤＩＳＣドライブ１０４で再生された映像のデータをデコードしてメインのビデオ信号を生成するビデオデコーダであるデコード部１０５と、ＤＩＳＣドライブ１０４で再生された映像のデータからメインのビデオ信号と合わせて再生されるサブ画像を生成する画像処理部１０６と、デコード部１０５から出力されるメインのビデオ信号と画像処理部１０６から出力されるサブ画像信号とをミックスして出力するＭＩＸ処理部１０７と、再生装置１０に設けられる複数の映像端子（ＨＤＭＩ、Ｄ、Ｓ、コンポジット、コンポーネント）を切り換える映像切換部１０８と、バス１０９と、ネットワークに接続するためのＩ／Ｆ部１１０とを本体に有して構成されている。なお、同図においてはＭＩＸ処理部１０７の映像出力側のみを示し、音声出力側については図示省略している。
【００１８】
図３は、図２に示す再生装置の映像再生系を部分的に示すブロック図である。
【００１９】
主制御部１０２は、ＤＩＳＣドライブ１０４で再生されたＨＤＤＶＤの映像のデータについて、画像処理部１０６とデコード部１０５に出力する。画像処理部１０６は、入力する映像のデータの処理を行うための領域であるメモリ１０６Ａと、メモリ１０６Ａで処理された画像信号の拡大縮小を行うためのスケーラ１０６Ｂと、スケーリングされた画像信号を合成するミキサー１０６Ｃとを有する。また、デコード部１０５は、デコードされたメインのビデオ信号の拡大縮小を行うためのスケーラ１０５Ａを有しており、画像処理部１０６から出力されるサブ画像信号とデコード部１０５から出力されるメインのビデオ信号がＭＩＸ処理部１０７で合成される。
【００２０】
デコード部１０５は、画像処理部１０６とは独立した構成を有するハードウエアであり、デコードされたメインのビデオ信号をスケーリングするスケーラ１０５Ａを有している。このスケーラ１０５Ａは、表示方式に応じて選択される複数のスケーリングアルゴリズムを有している。
【００２１】
図４は、画像処理部における処理の体系を示すブロック図である。
【００２２】
画像処理部１０６は、メモリ１０６Ａに読み込まれて実行されるプログラムであるカーソルコントローラ１０６１と、グラフィックスコントローラ１０６２と、サブピクチャコントローラ１０６３と、ストリームコントローラ１０６４とを有し、グラフィックスコントローラ１０６２、サブピクチャコントローラ１０６３、およびストリームコントローラ１０６４から出力される画像信号についてスケーリングを行うスケーラ１０６Ｂがそれぞれ設けられている。このスケーラ１０６Ｂは、スケーラ１０５Ａと同様に表示方式に応じて選択される複数のスケーリングアルゴリズムを有している。
【００２３】
カーソルコントローラ１０６１は、サブ画像に含まれるカーソルを描画する。グラフィックスコントローラ１０６２は、サブ画像に含まれる３次元画像や２次元画像を用いたグラフィックスデータをフレーム単位で形成する。サブピクチャコントローラ１０６３は、サブ画像に含まれるサブピクチャを形成する。ストリームコントローラ１０６４は、サブ画像に含まれるビデオストリームを生成する。
【００２４】
図５は、本実施の形態に係るスケーラの第１の機能を示す表示画面を示し、（ａ）はメインのビデオ信号を拡大する前の状態図、（ｂ）は拡大に基づく全画面表示を行った状態図である。以下、メインのビデオ信号に基づく出力画像を対象にして説明する。
【００２５】
図５（ａ）の表示部２１に表示される表示画像２００Ａは、再生装置１０から入力する入力解像度に基づく画像サイズであり、この状態から全画面表示に移行する場合、矢印で示すように拡大処理が行われる。このとき、デコード部１０５のスケーラ１０５Ａはビデオ信号に対して補完処理を行う。この補完処理は、隣接する画素データを基にして滑らかな階調を保ちながら拡大が行われるようにするとともに、画像のエッジにシャープをかけながらスケーリングを行い、図５（ｂ）に示すように表示画像２００Ｂとして全画面表示を行う。
【００２６】
図６は、本実施の形態に係るスケーラの第２の機能を示す表示画面を示し、（ａ）はメインのビデオ信号を縮小する前の状態図、（ｂ）は縮小に基づく全画面表示を行った状態図である。
【００２７】
図６（ａ）に示す入力画像２００Ｃは、再生装置１０から入力する入力解像度が表示部２１の表示サイズより大なるサイズを有している。この状態から全画面表示に移行する場合、矢印で示すように縮小処理が行われる。この場合についてもデコード部１０５のスケーラ１０５Ａは前述したスケーラの第１の機能に基づくビデオ信号の補完処理を行い、図６（ｂ）に示すように表示画像２００Ｂとして全画面表示を行う。
【００２８】
図７は、本実施の形態に係るスケーラの第３の機能を示す表示画面を示し、（ａ）はメインのビデオ信号を縮小する前の状態図、（ｂ）は縮小とともに移動した表示画像を示す状態図である。
【００２９】
図７（ａ）の表示部２１に部分的に表示される表示画像２００Ａは、再生装置１０から入力する入力解像度に応じた表示サイズで表示されている。この状態で表示領域の矢印方向への移動および縮小を行うように指定されると、図７（ｂ）に示すように表示画像２００Ａの表示サイズから縮小しながら移動して表示画像２００Ｄとして表示される。この場合には、表示画像の劣化が視覚的に識別しにくいサイズ変更となるので、ビデオ信号に対するスケーラ１０５Ａの補完処理は行われない。また、この場合のスケーリングについては、補完処理を行う場合のスケーリングより倍率を細かく指定することができるものとなり、例えば、１２８段階でのスケーリングが可能となる。
【００３０】
図８は、本実施の形態に係るスケーラの第４の機能を示す表示画面を示し、（ａ）はメインのビデオ信号を拡大する前の状態図、（ｂ）は拡大とともに移動した表示画像を示す状態図である。
【００３１】
図８（ａ）の表示部２１に部分的に表示される表示画像２００Ａは、再生装置１０から入力する入力解像度に応じた表示サイズで表示されている。この状態で表示領域の矢印方向への移動および拡大を行うように指定されると、図８（ｂ）に示すように表示画像２００Ａの表示サイズから拡大しながら移動して表示画像２００Ｂとして表示される。この場合にはデコード部１０５のスケーラ１０５Ａは前述したスケーラの第１の機能に基づくビデオ信号の補完処理が行われる。
【００３２】
図９は、本実施の形態の再生装置の画像表示に係るフローチャートである。以下、樹脂１から図８の図面を参照しつつ説明する。
【００３３】
まず、再生装置１０のディスクトレイにＨＤＤＶＤメディアを収容し、ディスクトレイを格納して、リモートコントローラ３０による再生操作を行うことによりＨＤＤＶＤを再生する（Ｓ１）。
【００３４】
ここで、再生されたＨＤＤＶＤのメインのビデオ信号に対してユーザによる全画面表示が指定された場合（Ｓ２：ＹＥＳ）、主制御部１０２はデコード部１０５に補完処理実行命令を出力する。デコード部１０５のスケーラ１０５Ａは主制御部１０２の補完処理実行命令に基づいて第１の機能に基づくメインのビデオ信号の補完処理を行うスケーリングを実行し（Ｓ３）、補完されたメインのビデオ信号をＭＩＸ処理部１０７に出力する。ＭＩＸ処理部１０７は、画像処理部１０６から入力するサブ画像信号と補完されたメインのビデオ信号とを合成し、出力画像信号として映像切換部１０８に出力する。映像切換部１０８は、ＨＤＭＩ端子に接続されているＴＶ装置２０に出力画像信号を出力することにより、ＴＶ装置２の表示部２１に表示される。
【００３５】
また、再生されたＨＤＤＶＤのメインのビデオ信号に対して全画面表示でなく（Ｓ２：ＮＯ）、ユーザの指定する倍率に基づく拡大表示が指定された場合（Ｓ４：ＹＥＳ）についても同様に、主制御部１０２はデコード部１０５に補完処理実行命令を出力する。
【００３６】
また、再生されたＨＤＤＶＤのメインのビデオ信号に対してユーザの指定する倍率に基づく縮小表示が指定された場合（Ｓ４：ＮＯ）については、主制御部１０２はデコード部１０５に補完処理実行命令を出力せず、そのことによりスケーラ１０５Ａは補完処理を行わないスケーリングを実行する（Ｓ５）。
【００３７】
（本実施の形態の効果）
上記した本実施の形態によると、画像表示の形態に応じてデコード部１０５のスケーラ１０５Ａにおけるスケーリングのアルゴリズムを選択して実行するようにしたので、高繊細な画像を出力する再生装置においても視覚的な画質の劣化をユーザに与えることがない。特に、ＨＤＤＶＤのように多様な表示形態を実現できる再生装置においては、出力先の映像機器との出力解像度の整合、ユーザ操作に基づく表示サイズの変更に応じたスケーリングを施すことで、視覚的に違和感のない高繊細な画像表示を行うことができる。
【００３８】
なお、本発明は、上記した実施の形態に限定されず、本発明の技術思想を逸脱あるいは変更しない範囲内で種々な組み合わせ、変形が可能である。
【００３９】
上記した実施の形態では、補完処理のあり、なしを異なるアルゴリズムとして説明したが、例えば、第１の補完処理を隣接する画素データを基にして滑らかな階調を再現するスケーリングとし、第２の補完処理については第１の補完処理の適用量を小にしたスケーリングとして、異なるアルゴリズムとして選択的に適用するようにしても良い。
【００４０】
また、補完処理の異なるアルゴリズムの適用を、ハードウエアであるデコード部１０５に適用する構成を説明したが、画像処理部１０６のスケーラ１０６Ｂでスケーリングする場合に適用しても良い。
【００４１】
また、サブ画像を構成するカーソルコントローラ１０６１と、グラフィックスコントローラ１０６２と、サブピクチャコントローラ１０６３と、ストリームコントローラ１０６４とについても、本実施の形態ではプログラムとして説明したが、デコード部１０５と同様にハードウエアで構成し、上記したスケーリングアルゴリズムを適用するものとしても良い。
【図面の簡単な説明】
【００４２】
【図１】本発明の実施の形態に係る再生装置を含む再生システム全体を示し、（ａ）は斜視図、（ｂ）は再生装置を示す正面図である。
【図２】本発明の実施の形態に係る再生装置の概略ブロック図である。
【図３】図２に示す再生装置の映像再生系を部分的に示すブロック図である。
【図４】画像処理部における処理の体系を示すブロック図である。
【図５】本実施の形態に係るスケーラの第１の機能を示す表示画面を示し、（ａ）はメインのビデオ信号を拡大する前の状態図、（ｂ）は拡大に基づく全画面表示を行った状態図である。
【図６】本実施の形態に係るスケーラの第２の機能を示す表示画面を示し、（ａ）はメインのビデオ信号を縮小する前の状態図、（ｂ）は縮小に基づく全画面表示を行った状態図である。
【図７】本実施の形態に係るスケーラの第３の機能を示す表示画面を示し、（ａ）はメインのビデオ信号を縮小する前の状態図、（ｂ）は縮小とともに移動した表示画像を示す状態図である。
【図８】本実施の形態に係るスケーラの第４の機能を示す表示画面を示し、（ａ）はメインのビデオ信号を拡大する前の状態図、（ｂ）は拡大とともに移動した表示画像を示す状態図である。
【図９】本実施の形態の再生装置の画像表示に係るフローチャートである。
【符号の説明】
【００４３】
１０…再生装置、１１…フロントパネル、１２…ドア開閉スイッチ、１３…前面ドア、１４…脚部、２０…ＴＶ装置、２１…表示部、３０…リモートコントローラ、４０…収容棚、１００…フロントパネル、１００Ａ…表示部、１００Ｂ…スイッチ、１００Ｃ…受光部、１０１…パネル制御部、１０２…主制御部、１０３…記憶部、１０４…ＤＩＳＣドライブ、１０５…デコード部、１０５Ａ…スケーラ、１０６…画像処理部、１０６Ａ…メモリ、１０６Ｂ…スケーラ、１０６Ｃ…ミキサー、１０７…ＭＩＸ処理部、１０８…映像切換部、１０９…バス、１１０…Ｉ／Ｆ部、２００Ａ…表示画像、２００Ｃ…入力画像、２００Ｄ…表示画像、１０６１…カーソルコントローラ、１０６２…グラフィックスコントローラ、１０６３…サブピクチャコントローラ、１０６４…ストリームコントローラ
【図１】
2007256370.tif 000003
【図２】
2007256370.tif 000004
【図３】
2007256370.tif 000005
【図４】
2007256370.tif 000006
【図５】
2007256370.tif 000007
【図６】
2007256370.tif 000008
【図７】
2007256370.tif 000009
【図８】
2007256370.tif 000010
【図９】
2007256370.tif 000011